(57)【要約】      （修正有）【課題】建物のケーブル貫通部において、簡易な構造体でしかも耐火特性のすぐれた防火構造を提供する。【解決手段】丸棒製又は角鋼製の係止部材と支持部材とからなる固着具１３を用い、あるいは直接に固着具１３なしで耐火性仕切材９を載置し、該耐火性仕切材９とケーブル３との間の接触面又は隙間を耐火仕切材端材１１や耐熱シール材１０で充填し、更に、ケーブル表面に延焼防止剤１２を塗布することで建物ケーブル貫通部の防火構造を得る。【選択図】図７
2006115625.tif 000002
【特許請求の範囲】
【請求項１】
構造物の壁又は床壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している壁スラブ１８又は床スラブ１に設けられた開口部２に合わせて切断した耐火仕切材９を、ケーブル３を挟持しながら開口部２全体に充填するか、又はケーブル３を挟持しながら開口部幅より大きく切断して被覆する第一工程と、
前記耐火仕切材９とケーブル３との接触面又は隙間に、充填材を充填する第二工程と、  必要において、前記ケーブル３の任意幅に延焼防止剤１２を塗布する第三工程と、
からなることを特徴とする建物ケーブル貫通部の防火構造工法。
【請求項２】
構造物の壁又は床壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している壁スラブ１８又は床スラブ１に設けられた開口部２に、貫通枠５又は固着具１４を設定する第一工程と、
前記開口部２に合わせて切断した耐火仕切材９を、前記貫通枠５内のケーブル３を挟持しながら充填し、又は開口部幅より大きく切断して固定具１４上にケーブル３を挟持しながら被覆する第二工程と、
前記耐火仕切材９とケーブル３との接触面又は隙間に、充填材を充填する第三工程と、  必要において、前記ケーブル３の任意幅に延焼防止剤１２を塗布する第四工程と、
からなることを特徴とする建物ケーブル貫通部の防火構造工法。
【請求項３】
構造物の床壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している床スラブ１に設けられた開口部２に、床スラブ面と同一面に貫通枠５の上部が位置するように設定する第一工程と、
該貫通枠５の端部から折り曲げ部を有する係止部材１０と係止部材１０の大きさに合わせて所定の長さに調整される支持部材１１とからなる固定具３を、前記ケーブル３を直行するように囲んだケーブルラック４の幅方向に並列に設置する第二工程と、
前記開口部２の大きさに合わせて切断した耐火仕切材９を、ケーブル３を挟持しながら開口部２全体に充填する第三工程と、
第三工程で充填した耐火仕切材９の上面に、複数の固着具１４を固定する第四工程と、  前記耐火仕切材９とケーブル３との接触面又は隙間に、充填材を充填する第五工程と、  必要において、前記ケーブル３の任意幅に延焼防止剤１２を塗布する第六工程と、
からなることを特徴とする建物ケーブル貫通部の防火構造工法。
【請求項４】
構造物の壁壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している壁スラブ１８に設けられた開口部２に、該開口部２の端部から角鋼製中空管からなる支持部材と該中空管に端部を挿入し、他端は平鋼となっている取付部とから成る固着具１４を前記ケーブル３を直行するように囲んだケーブルラック４の幅方向に並列に設置する第一工程と、
前記開口部２の大きさに合わせて切断した耐火仕切材９を、前記固着具１４の上部にケーブル３を挟持しながら取付ける第二工程と、
第二工程で取付けた耐火仕切材９の上部に、折り曲げ部を有する係止部材１０と係止部材１０の大きさに合わせて所定の長さに調整される支持部材１１とからなる固定具３を載置して、前記係止部材１０の端部を壁スラブ１８に固定する第三工程と、
前記耐火仕切材９とケーブル３との接触面又は隙間に、充填材を充填する第四工程と、  必要において、前記ケーブル３の任意幅に延焼防止剤１２を塗布する第五工程と、
からなることを特徴とする建物ケーブル貫通部の防火構造工法。
【請求項５】
前記充填材は、耐火仕切材端材１１や耐熱シール材１０１０を単独で、又は組み合わせて用いることを特徴とする請求項１〜４記載の建物ケーブル貫通部の防火構造工法。
【請求項６】
前記固定具３は、端部に取付孔を設けた折り曲げ部を有する丸鋼棒或いは角鋼棒からなる係止部材１０と、該係止部材１０に嵌合して長さ調整可能な空間部を有する支持部材１１から構成されることを特徴とする請求項２〜４記載の建物ケーブル貫通部の防火構造工法。
【請求項７】
前記固着具１４は、端部に取付孔を設けた丸鋼棒或いは角鋼棒からなる係止部材と、該係止部材に嵌合して長さ調整可能な空間部を有する支持部材から構成されることを特徴とする請求項２〜４記載の建物ケーブル貫通部の防火構造工法。
【請求項８】
構造物の壁又は床壁の貫通孔内に貫通する複数のケーブルをケーブルラックで囲みながら収容した状態で、上記貫通孔の開口部とケーブルラックとの間を耐火材で遮蔽するケーブル貫通部の防火構造において、
複数のケーブル３が貫通している床スラブ１に設けられた開口部２に、必要において設けられる貫通枠５と、
折り曲げ部を有する係止部材１０と該係止部材１０の大きさに合わせて所定の長さに調整される支持部材１１とからなる固定具３と、
前記ケーブルの位置を調整するケーブルラック４と、
前記開口部２の大きさに合わせて充填する耐火仕切材９と、
耐火仕切材９を固定する固着材と、
前記耐火仕切材９とケーブル３との隙間を充填する充填材と、
前記ケーブル３の任意幅に塗布する延焼防止剤１２と、
から構成されることを特徴とする建物ケーブル貫通部の防火構造。
【発明の詳細な説明】
【技術分野】
【０００１】
本発明は、ビルやマンション、工場等における大きな建物における壁や床等の開口部を貫通する電気配線ケーブルの防火構造に関し、更に詳しくは、日本建築センターの１時間の耐火試験に対応出来る新規な建物ケーブル貫通部の防火構造を提供するものである。
【背景技術】
【０００２】
従来、ビルやマンション、工場等における大きな建物においては、建物が出火した場合に他の部屋への延焼を防止するためにいくつかの区画に仕切っており、それぞれの境界の壁や床に耐火スラブで防火区画を設けている。
【０００３】
これらの構造体を示すものとして特公平５−５２１２２号「建物耐火スラブの貫通部防火構造」は、「建物の耐火スラブに開設されてケーブル等の貫通物が貫通する貫通孔に耐火材で防火空間を形成し、この防火空間内には結合材を用いて吸熱性耐火材と熱膨張性耐火材の混合物又は吸熱性及び熱膨張性を有する耐火材を粒径１〜25ｍｍの顆粒状に成形してなる吸熱性。熱膨張性顆粒状耐火充填材を充填し、上記防火空間内において貫通物を吸熱性・熱膨張性顆粒状体か充填材で完全に包囲した建物耐火スラブの貫通部防火構造」が開示されている。
【０００４】
さらに特許第２９１６６６８号「ケーブル貫通部の防火構造」は、「複数のケーブルが、ケーブルラック内に収容された状態で、構造物の隔壁若しくは床壁を貫通する壁貫通孔に貫通配置され、上記複数のケーブル及びケーブルトラックの外周囲と上記壁貫通孔の開口部との間の隙間が耐火性仕切板により遮蔽されたケーブル貫通部の防火構造において、上記複数のケーブル及びケーブルラックの外周囲を、上記壁貫通孔の片側開口部から上記ケーブルの長手方向外側範囲にわたり覆う防火パテと着部と、この防火パテ塗着部を上記ケーブルの長手方向に直交する方向の両側から挟んで遮蔽する一対の耐火性遮蔽板と、この一対の遮蔽板を互いに独立して上記ケーブルトラックに対し着脱可能に位置固定する少なくとも一対の固定手段とを備えているケーブル貫通部の防火構造」が開示されている。
【０００５】
しかしながら従来の防火構造は、いずれも日本建築センターの２時間の耐火試験に合格するために、ロックウールを用いる場合には２００ｋｇ/ｍ３の充填密度で充填したり、防火パテを使用する場合には厚く整形すると剥離や脱落という危険性を有していたため、顆粒状からなる耐火充填材を用いたり一対の遮蔽板を用いてこれらを固定具で固定する等の対応をしていた。
【特許文献１】特公平５−５２１２２号
【特許文献２】特許第２９１６６６８号
【発明の開示】
【発明が解決しようとする課題】
【０００６】
近年、上記日本建築センターの耐火試験の時間が２時間から１時間へと改正されるようになり、簡易な構造体でしかも耐火特性に優れた防火構造の開発が建築業界の中で望まれていた。
【０００７】
また従来の構造体のようにロックウール等のような繊維状充填材を用いること無く、公害上対策にも優れた素材を用いる新規な構造物の開発も併せて望まれていた。
【課題を解決するための手段】
【０００８】
本発明者は掛かる課題を解決するために鋭意研究したところ、安価な丸棒や角鋼棒からなる係止具や該係止具に勘合する中空棒を耐火仕切材の固定具として用い、更に前記耐火仕切材上面を固着具でビス固定することによって、耐火仕切材の位置がずれないように固定した後に耐熱シール材１０で耐火仕切材とケーブルとの間の隙間を充填することによって密封状態に出来る新規な建物ケーブル貫通部の防火構造工法及び防火構造自体を提供するものである。
【０００９】
すなわち本発明の第一は、構造物の壁又は床壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している壁スラブ１８又は床スラブ１に設けられた開口部２に合わせて切断した耐火仕切材９を、ケーブル３を挟持しながら開口部２全体に充填するか、又はケーブル３を挟持しながら開口部幅より大きく切断して被覆する第一工程と、
前記耐火仕切材９とケーブル３との接触面又は隙間に、充填材を充填する第二工程と、  必要において、前記ケーブル３の任意幅に延焼防止剤１２を塗布する第三工程と、
からなることを特徴とする建物ケーブル貫通部の防火構造工法である。
【００１０】
本発明の第二は、構造物の壁又は床壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している壁スラブ１８又は床スラブ１に設けられた開口部２に、貫通枠５又は固着具１４を設定する第一工程と、
前記開口部２に合わせて切断した耐火仕切材９を、前記貫通枠５内のケーブル３を挟持しながら充填し、又は開口部幅より大きく切断して固定具１４上にケーブル３を挟持しながら被覆する第二工程と、
前記耐火仕切材９とケーブル３との接触面又は隙間に、充填材を充填する第三工程と、  必要において、前記ケーブル３の任意幅に延焼防止剤１２を塗布する第四工程と、
からなることを特徴とする建物ケーブル貫通部の防火構造工法である。
【００１１】
本発明の第三は、構造物の床壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している床スラブ１に設けられた開口部２に、床スラブ面と同一面に貫通枠５の上部が位置するように設定する第一工程と、
該貫通枠５の端部から折り曲げ部を有する係止部材１０と係止部材１０の大きさに合わせて所定の長さに調整される支持部材１１とからなる固定具３を、前記ケーブル３を直行するように囲んだケーブルラック４の幅方向に並列に設置する第二工程と、
前記開口部２の大きさに合わせて切断した耐火仕切材９を、ケーブル３を挟持しながら開口部２全体に充填する第三工程と、
第三工程で充填した耐火仕切材９の上面に、複数の固着具１４を固定する第四工程と、  前記耐火仕切材９とケーブル３との接触面又は隙間に、充填材を充填する第五工程と、  必要において、前記ケーブル３の任意幅に延焼防止剤１２を塗布する第六工程と、
からなることを特徴とする建物ケーブル貫通部の防火構造工法である。
【００１２】
本発明の第四は、構造物の壁壁の貫通孔内に貫通する複数のケーブルをケーブルラックで囲みながら収容した状態で、上記貫通孔の開口部とケーブルラックとの間を耐火材で遮蔽するケーブル貫通部の防火構造工法において、
複数のケーブル３が貫通している壁スラブ１８に設けられた開口部２に、該開口部２の端部から角鋼製中空管からなる支持部材と該中空管に端部を挿入し、他端は平鋼となっている取付部とから成る固着具１４を前記ケーブル３を直行するように囲んだケーブルラック４の幅方向に並列に設置する第一工程と、
前記開口部２の大きさに合わせて切断した耐火仕切材９を、前記固着具１４の上部にケーブル３を挟持しながら取付ける第二工程と、
第二工程で取付けた耐火仕切材９の上部に、折り曲げ部を有する係止部材１０と係止部材１０の大きさに合わせて所定の長さに調整される支持部材１１とからなる固定具３を載置して、前記係止部材１０の端部を壁スラブ１８に固定する第三工程と、
前記耐火仕切材９とケーブル３との接触面又は隙間に、充填材を充填する第四工程と、  必要において、前記ケーブル３の任意幅に延焼防止剤１２を塗布する第五工程と、
からなることを特徴とする建物ケーブル貫通部の防火構造工法である。
【００１３】
本発明の第五は、前記充填材は、耐火仕切材端材や耐熱シール材１０を単独で、又は組み合わせて用いることを特徴とする請求項１〜４記載の建物ケーブル貫通部の防火構造工法である。
【００１４】
本発明の第六は、前記固定具３は、端部に取付孔を設けた折り曲げ部を有する丸鋼棒或いは角鋼棒からなる係止部材１０と、該係止部材１０に嵌合して長さ調整可能な空間部を有する支持部材１１から構成されることを特徴とする請求項２〜４記載の建物ケーブル貫通部の防火構造工法である。
【００１５】
本発明の第七は、前記固着具１４は、端部に取付孔を設けた丸鋼棒或いは角鋼棒からなる係止部材と、該係止部材に嵌合して長さ調整可能な空間部を有する支持部材から構成されることを特徴とする請求項２〜４記載の建物ケーブル貫通部の防火構造工法である。
【００１６】
本発明の第八は、構造物の壁又は床壁の貫通孔内に貫通する複数のケーブルをケーブルラックで囲みながら収容した状態で、上記貫通孔の開口部とケーブルラックとの間を耐火材で遮蔽するケーブル貫通部の防火構造において、
複数のケーブル３が貫通している床スラブ１に設けられた開口部２に、必要において設けられる貫通枠５と、
折り曲げ部を有する係止部材１０と該係止部材１０の大きさに合わせて所定の長さに調整される支持部材１１とからなる固定具３と、
前記ケーブルの位置を調整するケーブルラック４と、
前記開口部２の大きさに合わせて充填する耐火仕切材９と、
耐火仕切材９を固定する固着材と、
前記耐火仕切材９とケーブル３との隙間を充填する充填材と、
前記ケーブル３の任意幅に塗布する延焼防止剤１２と、
から構成されることを特徴とする建物ケーブル貫通部の防火構造である。
【発明の効果】
【００１７】
本発明の防火構造は、床面や壁面の端部から固定具３を設置した上に耐火仕切材９をケーブル３を囲むように充填し、あるいは床面や壁面に耐火仕切材を載置して固着材で取付け、更にこれらの隙間に耐熱シール材１０を充填するだけで耐熱性や防火性に優れた防火構造を得ることができ、従来品のように耐火仕切材を複数段必要としないため安価に製造可能なものである。
【００１８】
本発明の防火構造は、従来のように多数のロックウール等の耐熱材を用いなく、また圧縮されたロックウールの仕切り板表面には延焼防止材が塗布されているために、作業者が繊維質のウールを体内に吸収することは少なく安全である。
【００１９】
本発明の防火構造は、上記のように従来構造に比較すると簡易な構造であるが、新しい日本建築センターで指定する１時間の耐火試験に十分に対応可能な構造を有するものである。
【発明を実施するための最良の形態】
【００２０】
以下、図面を参照して本発明を詳細に説明するが、本発明の範囲はこれらに限定されるものではない。
【実施例１】
【００２１】
図１及び図２は、床ケーブル貫通部における防火構造を示す断面図と平面図である。
【００２２】
床スラブ１に設けられた開口部２を貫通する複数のケーブル３を密封充填して防火構造とする場合、先ず開口部２を覆う大きさに耐火仕切材９を切断して、ケーブル３及びケーブルラック４を挟持するように前記耐火仕切材９を２分割して床スラブ１上に載置する（第一工程）。
【００２３】
この場合、先ず耐火仕切材９を開口部の縦・横の長さに合わせて覆う大きさに切断した後に、先に設置したケーブルラック４を囲むように凹凸形状に切断することが好ましい。
【００２４】
凹凸形状に切断された凹状仕切材は、床スラブ１の端部に載置され、且つ、ケーブラック４の外側に沿って開口部との間に押し込められ、一方の凸状仕切材の方はそのままではケーブル３及びケーブルラック４の先端部と重なり合うために、重なり合わないように予めケーブル３及びケーブルラック４の先端部の形状に切断した後に、同様に床スラブ１の上に位置し、且つ、ケーブラック４の内側に沿って開口部との間に載置した。
【００２５】
上記耐火仕切材９としては、ロックウールを２００ｋｇ/ｍ３の圧力で圧縮した厚みが５０ｍｍの板に、水酸化アルミニウム、三酸化アンチモン、アクリルポリマー等の延焼防止剤１２を約１ｍｍ厚に塗布したした素材を用いたが、本発明に使用できる耐火仕切材９は、延焼防止効果を有し簡単に切断できる素材であれば全て応用できるものである。
【００２６】
次いで図２に示されるように、ケーブル３及びケーブルラック４と耐火仕切材９との隙間に耐熱シール材１０７を充填する（第二工程）。
【００２７】
本発明で使用する耐熱シール材１０は、上記水酸化アルミニウム、三酸化アンチモン、アクリルポリマー等の延焼防止剤１２にロックウールチップとを混合した粒土状のものが好ましいが、本発明に使用できる耐熱シール材１０は、延焼防止効果を有し、簡単に充填可能なペースト素材であれば全て応用できるものである。
【実施例２】
【００２８】
図３及び図４は、床面、特に水止めを兼ねた床ケーブル貫通部における防火構造を示す断面図と平面図である。
【００２９】
複数のケーブル３が貫通している床スラブ１に設けられた開口部２に、該開口部２の側端部に端部が平鋼材からなる係止部材７と係止部材７の大きさに合わせて所定の長さに調整される角鋼製の支持部材８とからなる固定具６を、前記ケーブル３を直行するように囲んだケーブルラック４の横幅方向に並列に設置する（第一工程）。
【００３０】
次いで、前記開口部２の大きさより大きく切断した耐火仕切材９を、前記固定具６の上に載置して開口部２全体を覆うようにした（第二工程）が、この場合、この場合、先ず耐火仕切材９を開口部の縦・横の長さより大きく切断した後に、先に設置したケーブルラック４を囲むように凹凸形状に切断した。
【００３１】
凹凸形状に切断された凹状仕切材を、縦方向で固定具６の上に載置し、且つ、ケーブラック４の外側に沿って開口部を覆うようにし、一方の凸状仕切材の方も縦方向で覆うようにした場合に、ケーブル３及びケーブルラック４の先端部と重なり合うために、重なり合わないように予めケーブル３及びケーブルラック４の先端部の形状に切断した後に、同様に固定具６の上に位置し、且つ、ケーブラック４の内側に沿って開口部との間に載置した。
【００３２】
上記耐火仕切材９としては、上記同様にロックウールを２００ｋｇ/ｍ３の圧力で圧縮した厚みが５０ｍｍの板に、水酸化アルミニウム、三酸化アンチモン、アクリルポリマー等の延焼防止剤１２を約１ｍｍ厚に塗布したした素材を用いた。
【００３３】
第二工程で充填した耐火仕切材９表面を平らにした後の端部に、複数の端部が平鋼材からなり折り曲げ部を有する係止部材１４と該係止部材１４の大きさに合わせて所定の長さに調整される角鋼製の支持部材１５とからなる固着具１３で押えながら端部をピアスビス１７で固定した（第三工程）が、上記固着具１３の押さえにより耐火仕切材４は、前記角鋼製の固定具６との間に固定されるようになる。
【００３４】
最後に、前記耐火仕切材９とケーブル３、或いはケーブルラック４との間に隙間が生ずるために、耐火仕切材端材１１を先に充填し、次いで、その上から耐熱シール材１０を充填して、上下室等からの延焼を防止するようにしている（第四工程）。
【００３５】
さらに延焼防止剤１２を耐火仕切材９の上面に出ているケーブル３の表面に一例として約１５ｃｍ塗布して、ケーブル３自体の延焼を防止する様に二重の延焼対策をとっている。
【００３６】
本発明で使用する延焼防止剤１２は、水酸化アルミニウム、三酸化アンチモン、アクリルポリマー等の延焼防止剤１２を用いた。
【００３７】
本実施例２では、耐火仕切材４の幅を開口部２より大きく切り取って開口部２を覆う形状としたが、開口部２と同じ幅の耐火仕切材４の場合には、貫通枠５を通過するように端部が平鋼材からなる係止部材７と係止部材７の大きさに合わせて所定の長さに調整される角鋼製の支持部材８とからなる固定具６を、前記ケーブル３を直行するように囲んだケーブルラック４の横幅方向に並列に設置し（第一工程）、次いで、前記開口部２の大きさと同じ幅に切断した耐火仕切材９を、前記固定具６の上に載置して貫通枠５内にはめ込んだ（第二工程）以外は、実施例２と同様な工程で所望の床ケーブル貫通部における防火構造を得ることができる。
【００３８】
また本実施例の応用として、貫通枠５を設けてた後に該貫通枠５端部に接触するように端部が平鋼からなる折り曲げ部を有する係止部１４を重ね、この係止部両端に角鋼製の支持部を挿通させた固着具１３を、前記ケーブル３を直行するように囲んだケーブルラック４の横幅方向に並列に設置し（第一工程）、次いで、前記開口部２の大きさと同じ幅に切断した耐火仕切材９を、前記固定具６の上に載置して貫通枠５内にはめ込み（第二工程）、上金具ととして端部が平鋼材からなる係止部材７と係止部材７の大きさに合わせて所定の長さに調整される角鋼製の支持部材８とからなる固定具６をを用いることなく、実施例２と同様な工程で所望の床ケーブル貫通部における防火構造を得ることができる。
【実施例３】
【００３９】
図５及び図６は、床ケーブル貫通部における防火構造を示す断面図と平面図である。
【００４０】
複数のケーブル３が貫通している床スラブ１に設けられた開口部２に、該開口部２の端部から端部が平鋼材からなる係止部材７と係止部材７の大きさに合わせて所定の長さに調整される角鋼製の支持部材８とからなる固定具６を、前記ケーブル３を直行するように囲んだケーブルラック４の横幅方向に並列に設置する（第一工程）。
【００４１】
次いで、前記開口部２の大きさより大きく切断した耐火仕切材９を、前記固定具６の上に載置して開口部２全体を覆うようにした（第二工程）が、この場合、この場合、先ず耐火仕切材９を開口部の縦・横の長さより大きく切断した後に、先に設置したケーブルラック４を囲むように凹凸形状に切断した。
【００４２】
凹凸形状に切断された凹状仕切材を、縦方向で固定具６の上に載置し、且つ、ケーブラック４の外側に沿って開口部を覆うようにし、一方の凸状仕切材の方も縦方向で覆うようにした場合に、ケーブル３及びケーブルラック４の先端部と重なり合うために、重なり合わないように予めケーブル３及びケーブルラック４の先端部の形状に切断した後に、同様に固着具１４の上に位置し、且つ、ケーブラック４の内側に沿って開口部との間に載置した。
【００４３】
上記耐火仕切材９としては、上記同様にロックウールを２００ｋｇ/ｍ３の圧力で圧縮した厚みが５０ｍｍの板に、水酸化アルミニウム、三酸化アンチモン、アクリルポリマー等の延焼防止剤１２を約１ｍｍ厚に塗布したした素材を用いた。
【００４４】
第二工程で充填した耐火仕切材９表面を平らにした後の端部に、端部が平鋼材からなり折り曲げ部を有する係止部材１４と該係止部材１４の大きさに合わせて所定の長さに調整される角鋼製の支持部材１５とからなる複数の固着具１３で押えながら端部をピアスビス１７で固定した（第三工程）が、上記固着具の押さえにより耐火仕切材４は、前記角鋼製の固着具１３との間に固定されるようになる。
【００４５】
最後に、前記耐火仕切材９とケーブル３、或いはケーブルラック４との間に隙間が生ずるために、耐火仕切材端材を先に充填し、次いで、その上から耐熱シール材１０を充填して、上下室等からの延焼を防止するようにしている（第四工程）。
【００４６】
さらに延焼防止剤１２を耐火仕切材の上面に出ているケーブル３の表面に一例として約１５ｃｍ塗布して、ケーブル３自体の延焼を防止する様に二重の延焼対策をとっている。
【００４７】
本発明で使用する延焼防止剤１２は、水酸化アルミニウム、三酸化アンチモン、アクリルポリマー等の延焼防止剤１２を用いた。
【実施例４】
【００４８】
図７及び図８は、壁面における壁床ケーブル貫通部における防火構造を示す断面図と平面図である。
【００４９】
壁スラブ１８の開口部２に嵌合する貫通枠５を用いないで図５に示されるように端部が平鋼からなる角鋼製棒の係止部材７と、該係止部材７の外形より大きく、内部が中空形状である角鋼製の支持部８からなる固定具６を、前記壁スラブ１８と同一面においてケーブル３を直行するように囲んだケーブルラック４の幅方向に並列に設置する（第一工程）。
【００５０】
次いで、前記開口部２より大ききく切断した耐火仕切材９を、前記固定具６の上に掛かるようにしながら開口部２の上を覆うように取付ける（第二工程）が、この場合、先ず耐火仕切材９を開口部の縦・横の長さより大きく切断した後に、先に設置したケーブルラック４を囲むように凹凸形状に切断することが好ましい。
【００５１】
凹凸形状に切断された凹状仕切材は、固定具６の上に位置し、且つ、ケーブラック４の外側に沿って開口部２の上に取付けられ、一方の凸状仕切材の方はそのままではケーブル３及びケーブルラック４の先端部と重なり合うために、重なり合わないように予めケーブル３及びケーブルラック４の先端部の形状に切断した後に、同様に固定具６の上に取付け、且つ、ケーブラック４の内側に沿って開口部との間に取付けた。
【００５２】
第二工程で取付けた耐火仕切材９表面を平らにした後に、端部が横８ｍｍ、縦４ｍｍからなる平鋼材で折り曲げ部を有する係止部材１４と該係止部材１４の大きさに合わせて所定の長さに調整される角鋼製の支持部材１５とからなる複数の固着具１３で押えながら端部をピアスビス１７で固定した（第三工程）が、上記固着具の押さえにより耐火仕切材４は、前記角鋼製の固着具１３との間に固定されるようになり開口部からの落剥は生じない。
【００５３】
次いで、前記耐火仕切材９とケーブル３、或いはケーブルラック４との間の接触面又は隙間に、耐火仕切板端材１１と耐熱シール材１０を充填して、階下からの延焼を防止するようにしている（第四工程）。
【００５４】
さらに延焼防止剤１２を耐火仕切材の上面に出ているケーブル３の表面に一例として約１５ｃｍ塗布して、ケーブル３自体の延焼を防止する様に二重の延焼対策をとっている。
【００５５】
本実施例の他の応用として、壁スラブ１８の開口部２に嵌合する貫通枠５を用いないで端部が平鋼からなる折り曲げ部を有する係止部１４を壁スラブに取付け金具で固定した後に、この係止部両端に角鋼製の支持部を挿通させた固着具１３を、前記ケーブル３を直行するように囲んだケーブルラック４の横幅方向に並列に設置し（第一工程）、次いで、前記開口部２の大きさと同じ幅に切断した耐火仕切材９を、前記固定具６の上に載置して貫通枠５内にはめ込み（第二工程）、上金具ととして端部が平鋼材からなる係止部材７と係止部材７の大きさに合わせて所定の長さに調整される角鋼製の支持部材８とからなる固定具６をを用いて耐火仕切材を固着し、実施例４と同様な工程で所望の床ケーブル貫通部における防火構造を得ることができる。
【００５６】
なお、上記実施例１〜４では、延焼防止剤１２を耐火仕切材９の上方に塗布したが、この延焼防止剤１２は、耐火仕切端材や耐熱シールを用いる箇所に代えて塗布しても良いことを確認している。
【００５７】
図９は、本発明で使用する固定具６を示す斜視図である。本発明の固定具６は、端部が平鋼材からなる固定具用係止部材７と該係止部材７を挿通する中空形状の角型鋼材からなる固定具用支持部材８とから組み合わされているが、端部には取付け金具１６を取付けるための小孔が設けられており、スラブ面に直接端部を固定する場合にはピアスビス１７を打ち込んで固定する。
【００５８】
図１０は、本発明で使用する固着具１３を示す斜視図である。本発明の固着具１３は、端部が平鋼材からなる折り曲げ部を有する固着具用係止部材１４と該係止部材１４を挿通する中空形状の角型鋼材からなる固着用支持部材１５とから組み合わされているが、端部には取付け金具１６を取付けるための小孔が設けられており、スラブ面に直接端部を固定する場合にはピアスビス１７を打ち込んで固定する。
【００５９】
上記図９及び図１０ではどちらも角鋼製の係止部材と支持部材とを用いたが、これは双方が挿通可能であって端部に打ち込みようの小孔があれば丸棒製で合っても構わない。
【図面の簡単な説明】
【００６０】
【図１】本発明における床防火構造を示す断面図である。
【図２】図１における平面図である。
【図３】床防火構造における他の構造を示す断面図である。
【図４】図３における平面図である。
【図５】床防火構造における他の構造を示す断面図である。
【図６】図５における平面図である。
【図７】本発明における壁防火構造を示す断面図である。
【図８】図７における平面図である。
【図９】本発明で使用する固定具を示す斜視図である。
【図１０】本発明で使用する固着具を示す斜視図である。
【符号の説明】
【００６１】
１・・・床スラブ
２・・・開口部
３・・・ケーブル
４・・・ケーブルラック
５・・・貫通枠
６・・・固定具
７・・・固定具用係止部材
８・・・固定具用支持部材
９・・・耐火仕切材
１０・・耐熱シール材
１１・・耐火仕切材端材
１２・・延焼防止剤
１３・・固着具
１４・・固着具用係止部材
１５・・固着具用支持部材
１６・・取付け金具
１７・・ビス
１８・・壁スラブ
【図１】
2006115625.tif 000003
【図２】
2006115625.tif 000004
【図３】
2006115625.tif 000005
【図４】
2006115625.tif 000006
【図５】
2006115625.tif 000007
【図６】
2006115625.tif 000008
【図７】
2006115625.tif 000009
【図８】
2006115625.tif 000010
【図９】
2006115625.tif 000011
【図１０】
2006115625.tif 000012